(57)【要約】【課題】　パネル電圧の上昇時間と下降時間を個別に調整することができるプラズマディスプレイパネルの駆動装置及び駆動方法を提供する。【解決手段】　プラズマディスプレイパネルにおいて，パネルキャパシターのＹ電極にインダクタが電気的に連結されている。インダクタに第１方向の電流を注入してエネルギーを保存した後に，インダクタとパネルキャパシターとの間の共振及び保存されたエネルギーを用いてＹ電極の電圧をＶｓ／２電圧に変更する。Ｙ電極のＶｓ／２電圧とＸ電極の−Ｖｓ／２電圧との差によってパネルには維持放電が発生する。次に，インダクタに第１方向と反対方向である第２方向の電流を注入してエネルギーを保存する。そして，インダクタとパネルキャパシターとの間の共振及び保存されたエネルギーを用いて，Ｙ電極の電圧を−Ｖｓ／２電圧に変更する。【選択図】　　図３
2004133406.tif 000002
【特許請求の範囲】
【請求項１】
　第１及び第２電極間にパネルキャパシターが形成されるプラズマディスプレイパネルを駆動する方法であって，
　前記第１及び第２電極の電圧が各々第１電圧に維持されている間，前記第１電極に電気的に連結されたインダクタに，第１方向の電流を注入し第１エネルギーを保存する第１段階と，
　前記第２電極の電圧が前記第１電圧に維持された状態で，前記インダクタと前記パネルキャパシターとの間の共振及び前記第１エネルギーを用いて前記第１電極の電圧を第２電圧に変更する第２段階と，
　前記第１及び第２電極の電圧を各々前記第２及び第１電圧に維持した状態で，前記インダクタに残っているエネルギーを回収する第３段階と，
　前記第１及び第２電極の電圧を各々前記第２及び第１電圧に維持した状態で，前記インダクタに前記第１方向と反対方向である第２方向の電流を注入し第２エネルギーを保存する第４段階と，
　前記第２電極の電圧が前記第１電圧に維持された状態で，前記インダクタと前記パネルキャパシターとの間の共振及び前記第２エネルギーを用いて前記第１電極の電圧を前記第１電圧に変更する第５段階と，
　前記第１及び第２電極の電圧を各々前記第１電圧に維持した状態で，前記インダクタに残っているエネルギーを回収する第６段階と，
を含む，プラズマディスプレイパネルの駆動方法。
【請求項２】
　前記第１段階における前記インダクタへの前記第１方向の電流注入量が，前記第４段階における前記インダクタへの前記第２方向の電流注入量より多いことを特徴とする，請求項１に記載のプラズマディスプレイパネルの駆動方法。
【請求項３】
　前記第２電圧は前記第１電圧より高い電圧であることを特徴とする，請求項１または２に記載のプラズマディスプレイパネルの駆動方法。
【請求項４】
　前記第１及び第２電圧は各々第１及び第２信号線によって供給され，
　前記第１段階は前記第１及び第２電圧間の大きさを有する第３電圧を供給する第３信号線，前記インダクタ及び前記第１信号線に形成される経路で，前記インダクタに前記第１方向の電流を注入し，
　前記第４段階は前記第２信号線，前記インダクタ及び前記第３信号線に形成される経路で，前記インダクタに前記第２方向の電流を注入することを特徴とする，請求項１〜３のいずれかに記載のプラズマディスプレイパネルの駆動方法。
【請求項５】
　前記第２段階は，前記第３信号線，前記インダクタ及び前記パネルキャパシターに形成される経路で共振を発生させ，
　前記第５段階は，前記パネルキャパシター，前記インダクタ及び前記第３信号線に形成される経路で共振を発生させることを特徴とする，請求項４に記載のプラズマディスプレイパネルの駆動方法。
【請求項６】
　第１及び第２電極間にパネルキャパシターが形成されるプラズマディスプレイパネルを駆動する方法であって，
　前記第２電極の電圧を第１電圧に維持した状態で，前記第１電極に電気的に連結された第１インダクタと前記パネルキャパシターとの間の共振を用いて前記第１電極の電圧を第２電圧に変更する第１段階と，
　前記第１及び第２電極の電圧を各々前記第２及び第１電圧に維持する第２段階と，
　前記第２電極の電圧を前記第１電圧に維持した状態で，前記第１電極に電気的に連結された第２インダクタと前記パネルキャパシターとの間の共振を用いて前記第２電極の電圧を前記第１電圧に変更する第３段階と，
　前記第１及び第２電極の電圧を各々前記第１電圧に維持する第４段階と，
を含む，プラズマディスプレイパネルの駆動方法。
【請求項７】
　前記第１インダクタは，前記第２インダクタより小さいインダクタンスを有することを特徴とする，請求項６に記載のプラズマディスプレイパネルの駆動方法。
【請求項８】
　前記第２電圧は前記第１電圧より高い電圧であることを特徴とする，請求項６または７に記載のプラズマディスプレイパネルの駆動方法。
【請求項９】
　前記第１段階は，前記第１及び第２電圧間の大きさを有する第３電圧を供給する信号線，前記第１インダクタ及び前記パネルキャパシターに形成される経路で共振を発生させ，
　前記第３段階は，前記パネルキャパシター，前記第２インダクタ及び前記信号線に形成される経路で共振を発生させることを特徴とする，請求項６〜８のいずれかに記載のプラズマディスプレイパネルの駆動方法。
【請求項１０】
　第１及び第２電極間にパネルキャパシターが形成されるプラズマディスプレイパネルを駆動する装置であって，
　前記第１電極に電気的に連結されるインダクタと，
　前記第１及び第２電極の電圧が各々第１電圧に維持されている間，前記第１及び第２電圧間の大きさを有する第３電圧を供給する信号線，前記インダクタ及び前記第１電圧を供給する第１電源に形成され，前記インダクタに第１方向の電流が注入される第１経路と，
　前記第２電極の電圧が前記第１電圧に維持され，前記第１方向の電流が前記インダクタに流れている間，前記信号線，前記インダクタ及び前記パネルキャパシターに共振を発生させ，前記第１電極の電圧を前記第１電圧から前記第２電圧に変更する第２経路と，
　前記第１及び第２電極の電圧が各々前記第２及び第１電圧に維持されている間，前記第２電圧を供給する第２電源，前記インダクタ及び前記信号線に形成され，前記インダクタに前記第１方向と反対方向である第２方向の電流が注入される第３経路と，
　前記第２電極の電圧が前記第１電圧に維持され，前記第２方向の電流が前記インダクタに流れている間，前記パネルキャパシター，前記インダクタ及び前記信号線にＬＣ共振を発生させ，前記第１電極の電圧を前記第２電圧から前記第１電圧に変更する第４経路と，
を含むプラズマディスプレイパネルの駆動装置。
【請求項１１】
　前記インダクタへの前記第１方向の電流注入量が前記インダクタへの前記第２方向の電流注入量より多いことを特徴とする，請求項１０に記載のプラズマディスプレイパネルの駆動装置。
【請求項１２】
　前記第１電極の電圧が前記第２電圧に変更された後，前記第１電極を前記第２電源に電気的に連結して前記第１電極の電圧を前記第２電圧に維持する第５経路と，
　前記第１電極の電圧が前記第１電圧に変更された後，前記第１電極を前記第１電源に電気的に連結して前記第１電極の電圧を前記第１電圧に維持する第６経路と，
をさらに含むことを特徴とする，請求項１０または１１に記載のプラズマディスプレイパネルの駆動装置。
【請求項１３】
　前記第１電極の電圧が前記第２電圧に変更された後，前記インダクタ及び前記第２電源に形成され，前記インダクタに流れる前記第１方向の電流を回収する第５経路と，
　前記第１電極の電圧が前記第１電圧に変更された後，前記インダクタ及び前記信号線に形成され，前記インダクタに流れる前記第２方向の電流を回収する第６経路と，
をさらに含むことを特徴とする，請求項１０〜１２のいずれかに記載のプラズマディスプレイパネルの駆動装置。
【請求項１４】
　前記第２電極は，前記第１電源に電気的に連結されて前記第１電圧に維持されることを特徴とする，請求項１０〜１３のいずれかに記載のプラズマディスプレイパネルの駆動装置。
【請求項１５】
　前記第１電源と前記第１電極との間に連結される第１スイッチング素子と，
　前記第２電源と前記第１電極との間に連結される第２スイッチング素子と，
　前記インダクタと前記信号線との間に並列に連結される第３及び第４スイッチング素子と，
をさらに含み，
　前記第１経路は，前記第１及び第３スイッチング素子のターンオン，そして，前記第２及び第４スイッチング素子のターンオフによって形成され，
　前記第２経路は，前記第３スイッチング素子のターンオン，そして，前記第１，第２及び第４スイッチング素子のターンオフによって形成され，
　前記第３経路は，前記第２及び第４スイッチング素子のターンオン，そして，前記第１及び第３スイッチング素子のターンオフによって形成され，
　前記第４経路は，前記第４スイッチング素子のターンオン，そして，前記第１〜第３スイッチング素子のターンオフによって形成されることを特徴とする，請求項１０〜１４のいずれかに記載のプラズマディスプレイパネルの駆動装置。
【請求項１６】
　前記第１電圧は，前記第２電圧と同じ大きさで符号が反対であり，前記信号線は接地線に連結されていることを特徴とする，請求項１０に記載のプラズマディスプレイパネルの駆動装置。
【請求項１７】
　前記第１電圧は接地電圧であり，前記第３電圧は前記第２電圧の半分に該当する電圧であり，前記信号線は前記第３電圧を充電しているキャパシターに連結されていることを特徴とする，請求項１０に記載のプラズマディスプレイパネルの駆動装置。
【請求項１８】
　第１及び第２電極間にパネルキャパシターが形成されるプラズマディスプレイパネルを駆動する装置であって，
　前記第１電極に各々電気的に連結された第１及び第２インダクタと，
　前記第２電極の電圧が第１電圧に維持された状態で，前記第１インダクタと前記パネルキャパシターとの間に共振が発生し，前記第１電極の電圧が第２電圧に変更される第１共振経路と，
　前記第２電極の電圧が前記第１電圧に維持された状態で，前記第２インダクタと前記パネルキャパシターとの間に共振が発生し，前記第１電極の電圧が前記第１電圧に変更される第２共振経路と，
を含み，
　前記第１インダクタは前記第２インダクタより小さいインダクタンスを有することを特徴とするプラズマディスプレイパネルの駆動装置。
【請求項１９】
　第１及び第２電極間にパネルキャパシターが形成されるプラズマディスプレイパネルを駆動する方法であって，
　前記第２電極の電圧が第１電圧に維持された状態で，前記第１電極の電圧を前記第１電圧から第２電圧まで上昇させる段階と，
　前記第１電極の電圧を前記第２電圧に維持し，前記第２電極の電圧を前記第１電圧に維持する段階と，
　前記第２電極の電圧を前記第１電圧に維持した状態で，前記第１電極の電圧を前記第２電圧から前記第１電圧まで下降させる段階と，
を含み，
　前記第１電極の電圧が前記第１電圧から前記第２電圧まで上昇する時間が，前記第２電極の電圧が前記第２電圧から前記第１電圧まで下降する時間より短いことを特徴とするプラズマディスプレイパネルの駆動方法。
【発明の詳細な説明】
【技術分野】
【０００１】
　本発明は，交流形プラズマディスプレイパネルの駆動装置及び駆動方法に関する。
【背景技術】
【０００２】
　プラズマディスプレイパネルは，気体放電によって生成されたプラズマを利用し，文字または映像を表示する平面表示装置であって，その大きさによって数十から数百万個以上の画素がマトリックス状に配列されている。このようなプラズマディスプレイパネルは，印加される駆動電圧波形の形態及び放電セルの構造によって直流形と交流形に分けられる。
【０００３】
　直流形プラズマディスプレイパネルは，電極が，放電空間から絶縁されないまま露出され，電圧が印加されるている間中は電流が放電空間にそのまま流れるようになり，このために電流を制限するための抵抗を作らなければならないという短所がある。一方，交流形プラズマディスプレイパネルでは電極を誘電体層が覆い，直列キャパシタンス成分の形成によって電流が制限されて安定化する長所と，放電時のイオン衝撃から電極が保護されるため，直流形に比べて寿命が長いという長所がある。
【０００４】
　交流形プラズマディスプレイパネルには，互いに平行配置された走査電極及び維持電極があり，これら電極と直交する方向にアドレス電極が形成される。そして，維持電極は各走査電極に対応して形成され，維持電極は隣りの維持電極と一端で互いに一体に連結されている。
【０００５】
　一般に交流形プラズマディスプレイパネルの駆動方法は，時間経過に伴う動作変化として表すと，リセット期間，アドレッシング期間，維持放電期間，消去期間からなる。
【０００６】
　リセット期間は，放電セル（以下，セルと略す）への円滑なアドレッシング動作が行えるように，各セルの状態を初期化する期間であり，アドレシング期間はパネル上の点灯セルと非点灯セルを選別するために点灯セル（アドレスされたセル）を通過する電極にアドレスパルスと走査パルスを印加して放電させ，誘電体層の上などに壁電荷を残し発光用放電を容易にするメモリ動作を行う期間である。維持放電期間は，維持放電パルスを印加してアドレスされたセルに，実際に画像を表示するための放電を行う期間であり，所望の輝度に比例した回数だけパルスを印加し放電を繰り返す。消去期間は，セルの壁電荷を減少させて維持放電を終了させる期間である。
【０００７】
　このとき，走査電極と維持電極との間，アドレス電極が形成された面と走査及び維持電極が形成された面との間の放電空間等は，容量性負荷（以下，"パネルキャパシター"と称する）として作用するため，パネルにはキャパシタンス成分が存在する。したがって，頻度の高い維持放電のための電圧波形を印加するためには，キャパシタンス充放電用に多くの無効電力が必要となる。この無効電力は電源回路に大きい負担を与えるので，負担軽減のために，プラズマディスプレイパネルの駆動回路には無効電力を回収して再使用する電力回収回路が組み込まれている。このような電力回収回路として，Ｌ．Ｆ．Ｗｅｂｅｒによって提案された回路（下記の特許文献１及び特許文献２参照）がある。
【０００８】
　Ｗｅｂｅｒの回路はパネルキャパシターとインダクタとの間の共振を用いてパネルのエネルギーを電力回収用キャパシターに移すか，または電力回収用キャパシターに保存されたエネルギーをパネルに移す動作を繰り返すことによって，無効電力を回収する。しかし，Ｗｅｂｅｒの回路ではインダクタのインダクタンス（Ｌ）とパネルキャパシターのキャパシタンス（Ｃ）による時定数（ＬＣ）によって，パネル電圧の上昇及び下降時間が決定される。しかし，Ｗｅｂｅｒ回路における時定数（ＬＣ）は，常に一定なので，パネル電圧の上昇時間と下降時間が同一になる。例えば，パネル電圧の上昇時間を速くするためにはパネル電圧の上昇中に電源と連結されたスイッチング素子をハードスイッチングしなければならないので，スイッチング素子のストレスが増加するようになる。また，ハードスイッチングにより電力損失が発生し，ＥＭＩ（ｅｌｅｃｔｒｏ　ｍａｇｎｅｔｉｃ　ｉｎｔｅｒｆｅｒｅｎｃｅ）の悪影響が増加する。
【０００９】
【特許文献１】米国特許第４，８６６，３４９号明細書
【特許文献２】米国特許第５，０８１，４００号明細書
【発明の開示】
【発明が解決しようとする課題】
【００１０】
　本発明は，このような問題に鑑みてなされたもので，その目的とするところは，パネル電圧の上昇時間と下降時間を互いに独立に調整することができるプラズマディスプレイパネルの駆動装置及び駆動方法を提供することにある。
【課題を解決するための手段】
【００１１】
　上記課題を解決するために本発明は，インダクタに予め電流を注入し，インダクタに注入した電流と共振を用いてパネル電圧を替え，インダクタに注入される電流量を調節してパネル電圧の上昇及び下降時間を調節する。
【００１２】
　本発明によると，第１及び第２電極間にパネルキャパシターが形成されるプラズマディスプレイパネルを駆動する方法と装置が提供される。
【００１３】
　本発明の第１特徴によるプラズマディスプレイパネルを駆動する方法によると，まず，第１及び第２電極の電圧が各々第１電圧に維持されている間，第１電極にインダクタが電気的に連結されているインダクタに，第１方向の電流を注入して第１エネルギーを保存する。そして，インダクタとパネルキャパシターとの間の共振及び第１エネルギーを用いて第１電極の電圧を第２電圧に変更した後，インダクタに残っているエネルギーを回収する。次に，第１及び第２電極の電圧を各々第２及び第１電圧に維持した状態で，インダクタに第１方向と反対方向である第２方向の電流を注入して第２エネルギーを保存する。そして，インダクタとパネルキャパシターとの間の共振及び第２エネルギーを用いて第１電極の電圧を第１電圧に変更した後，インダクタに残っているエネルギーを回収する。かかる構成によれば，インダクタに第１方向の電流を注入する時間を調整することによって，パネルキャパシターの両端電圧であるパネル電圧の上昇時間を調整することができ，同様に，インダクタに第２方向の電流を注入する時間を調整することによって，パネル電圧の下降時間を調整することができる。このとき，インダクタへの第１方向の電流注入量はインダクタへの第２方向の電流注入量より多いことが好ましい。この場合には，パネル電圧の上昇時間を短くし下降時間を長いようにすることができる。
【００１４】
　本発明の第２特徴によるプラズマディスプレイパネルの駆動方法によると，まず，第２電極の電圧を第１電圧に維持した状態で，第１電極に電気的に連結された第１インダクタとパネルキャパシターとの間の共振を用いて第１電極の電圧を第２電圧に変更し，第１及び第２電極の電圧を各々第２及び第１電圧に維持する。次に，第１電極に電気的に連結された第２インダクタとパネルキャパシターとの間の共振を用いて第１電極の電圧を第１電圧に変更し，第１及び第２電極の電圧を各々第１電圧に維持する。かかる構成によれば，パネルキャパシターの両端電圧であるパネル電圧の上昇時間及び下降時間は各々第１インダクタ，第２インダクタのインダクタンスの関数であるので，これらのインダクタンスを調節することによって，パネル電圧の上昇時間及び下降時間を調節することができる。
このとき，第１インダクタは第２インダクタより小さいインダクタンスを有するのが好ましい。この場合には，パネル電圧の上昇時間を短くし下降時間を長いようにすることができる。
【００１５】
　本発明の第３特徴によるプラズマディスプレイパネルの駆動装置は，第１電極に電気的に連結されるインダクタを含む。第１及び第２電極の電圧が各々第１電圧に維持されている間，第１及び第２電圧間の大きさを有する第３電圧を供給する信号線，インダクタ及び第１電圧を供給する第１電源に第１経路が形成され，インダクタに第１方向の電流が注入される。第１方向の電流がインダクタに流れている間，信号線，インダクタ及びパネルキャパシターに形成される第２経路によってＬＣ共振が発生し，第１電極の電圧が第１電圧から第２電圧に変更される。そして第１及び第２電極の電圧が各々第２及び第１電圧に維持されている間，第２電圧を供給する第２電源，インダクタ及び信号線に第３経路が形成され，インダクタに第１方向と反対方向である第２方向の電流が注入される。第２方向の電流がインダクタに流れている間，パネルキャパシター，インダクタ及び信号線に形成される第４経路によってＬＣ共振が発生し，第１電極の電圧が第２電圧から第１電圧に変更される。かかる構成によれば，インダクタに第１方向の電流を注入する時間を調整することによって，パネルキャパシターの両端電圧であるパネル電圧の上昇時間を調整することができ，同様に，インダクタに第２方向の電流を注入する時間を調整することによって，パネル電圧の下降時間を調整することができる。このとき，インダクタへの第１方向の電流注入量はインダクタへの第２方向の電流注入量より多いことが好ましい。この場合には，パネル電圧の上昇時間を短くし下降時間を長いようにすることができる。
【００１６】
　本発明の第３特徴によるプラズマディスプレイパネルの駆動装置において，第１電極の電圧が前記第２電圧に変更された後に，第１電極を第２電源に電気的に連結する経路が形成されて第１電極の電圧を第２電圧に維持し，第１電極の電圧が第１電圧に変更された後に，第１電極を第１電源に電気的に連結する経路が形成されて第１電極の電圧を第１電圧に維持するのが好ましい。
【００１７】
　そして，第１電極の電圧が第２電圧に変更された後に，インダクタ及び第２電源に経路が形成され，インダクタに流れる第１方向の電流を回収し，第１電極の電圧が第１電圧に変更された後に，インダクター及び信号線に経路が形成され，インダクタに流れる第２方向の電流を回収するのが好ましい。
【００１８】
　このとき，第１電圧は第２電圧と同じ大きさで符号が反対であり，信号線は接地線に連結され得る。または，第１電圧は接地電圧であり，第３電圧は第２電圧の半分に該当する電圧であり，信号線は第３電圧を充電しているキャパシターに連結され得る。
【発明の効果】
【００１９】
　以上より，本発明によれば，パネル電圧の上昇時間及び下降時間を互いに独立に調節することが可能なプラズマディスプレイパネルの駆動装置及び駆動方法を提供できる。
【発明を実施するための最良の形態】
【００２０】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
　次に，本発明の実施の形態にかかるプラズマディスプレイパネルの駆動装置及び駆動方法について図面を参考にして詳細に説明する。
【００２２】
　図１は本発明の実施の形態にかかるプラズマディスプレイパネルの概略的なブロック図である。
【００２３】
　図１に示すように，本発明の実施の形態にかかるプラズマディスプレイパネルはプラズマパネル１００，アドレス駆動部２００，走査・維持駆動部３００及び制御部４００を含む。
【００２４】
　図において，プラズマパネル１００は，列（縦）方向に長く互いに平行に配置されている複数個のアドレス電極Ａ１〜Ａｍ，行（横）方向に長く互いに平行に配置されている複数個の走査電極Ｙ１〜Ｙｎ（以下，Ｙ電極と称する），及び各Ｙ電極に対応して１本づつ平行配置される維持電極Ｘ１〜Ｘｎ（以下，Ｘ電極と称する）を含む。Ｘ電極Ｘ１〜Ｘｎは，一般に，その一端が隣り合うＸ電極に連結されて，全体として手指状になっている。制御部４００は外部から映像信号を受信してアドレス駆動制御信号と維持放電制御信号とを生成し，各々アドレス駆動部２００と走査・維持駆動部３００とに印加する。
【００２５】
　アドレス駆動部２００は，制御部４００からアドレス駆動制御信号を受信し，表示しようとする放電セルを選択するためのアドレスパルスを各アドレス電極に印加する。走査・維持駆動部３００は制御部４００から走査制御信号を受信してＹ電極に走査パルスを出力し，点灯すべきセルを選択して放電準備状態を記憶させ，次いで維持放電制御信号を受信してＹ電極とＸ電極とに維持放電パルスを出力する。この維持放電パルスは１回毎にＸＹ電極間の極性が反転する交流形式であり，このパルスによって選択された放電セルで維持放電が起こる。
【００２６】
　以下，図２〜図１１を参照して本発明の第１の実施の形態にかかる走査・維持駆動部３００の維持放電回路について詳細に説明する。
【００２７】
　図２は本発明の第１の実施の形態にかかる維持放電回路の概略的な回路図である。図３は本発明の第１の実施の形態にかかる維持放電回路の駆動タイミング図であり，図４〜図１１は本発明の第１の実施の形態にかかる維持放電回路における各モードの電流経路を示す回路図である。
【００２８】
　図２に示すように，本発明の第１の実施の形態にかかる維持放電回路は，Ｙ電極駆動部３１０，Ｘ電極駆動部３２０，Ｙ電極電力回収部３３０，Ｘ電極電力回収部３４０を含み，回路は基本的に左右（Ｙ，Ｘ）が対称である。
【００２９】
　回路は３個の外部端子（＋ｈａｌｆ−Ｖｓ電位点，接地点，−ｈａｌｆ−Ｖｓ電位点）に各々接続される３本の線（＋電源線，接地線，−電源線）と，これらの間に接続される部品で構成される。Ｙ電極駆動部３１０とＸ電極駆動部３２０は，パネルキャパシターＣｐの両端であるＹ電極とＸ電極に連結されている。Ｙ電極駆動部３１０はスイッチング素子Ｙｓ，Ｙｇを含み，Ｘ電極駆動部３２０はスイッチング素子Ｘｓ，Ｘｇを含む。Ｙ電極電力回収部３３０はインダクタＬｐ１及びスイッチング素子Ｙｒ，Ｙｆを含み，Ｘ電極電力回収部３４０はインダクタＬｐ２及びスイッチング素子Ｘｒ，Ｘｆを含む。このようなスイッチング素子Ｙｓ，Ｙｇ，Ｘｓ，Ｘｇ，Ｙｒ，Ｙｆ，Ｘｒ，Ｘｆはボディーダイオードを有するＭＯＳＦＥＴで構成するのが好ましいが，以下に説明する機能を満足すれば他のスイッチング素子を用いても差し支えない。
【００３０】
　スイッチング素子Ｙｓ，Ｙｇは，＋電源線と−電源線の間に直列に連結され，ＹｓとＹｇの接続点がパネルキャパシターＣｐのＹ電極（図のＶｙ）に連結されている。同様に，スイッチング素子Ｘｓ，Ｘｇも，＋電源線と−電源線の間に直列に連結され，ＸｓとＸｇの接続点がパネルキャパシターＣｐのＸ電極（図のＶｘ）に連結されている。
【００３１】
　インダクタＬｐ１の一端はパネルキャパシターＣｐのＹ電極に連結され，スイッチング素子Ｙｒ，Ｙｆは並列にインダクタＬｐ１の他端と接地線０との間に連結されている。同様に，インダクタＬｐ２の一端もパネルキャパシターＣｐのＸ電極に連結され，スイッチング素子Ｘｒ，Ｘｆは並列にインダクタＬｐ２の他端と接地線０との間に連結されている。Ｙ電極電力回収部３３０はスイッチング素子Ｙｒ，Ｙｆのボディーダイオードによって形成可能な電流経路を防止するためのダイオードＤ１，Ｄ２をさらに含むことができる。同様にＸ電極電力回収部３４０もダイオードＤ３，Ｄ４をさらに含み，スイッチング素子Ｘｒ，Ｘｆのボディーダイオードによって生成し得る電流経路を防止することができる。また，Ｙ電極電力回収部３３０及びＸ電極電力回収部３４０は，各々インダクタＬｐ１，Ｌｐ２の他端電圧が，Ｖｓ／２より大きくなったり−Ｖｓ／２より小さくなったりしないようにクランプするための，ダイオードＤ５，Ｄ６，Ｄ７，Ｄ８をさらに含むことができる。
【００３２】
　次に，図３〜図１１を参照して本発明の第１の実施の形態にかかる維持放電回路の時系列的動作変化を説明する。ここで，動作変化は１６個のモードＭ１〜Ｍ１６で一巡し，モードの変化はスイッチング素子の操作によって生じる。ここでＬＣ共振と称する現象は，連続的発振ではなく，スイッチング素子Ｙｒ，Ｙｆ，ＸｒまたはＸｆの導通時に生じる，インダクタＬｐ１またはＬｐ２とパネルキャパシターＣｐとの組み合わせによる電圧及び電流の変化現象である。
【００３３】
　本発明の第１の実施の形態にかかる動作を行う前に，スイッチング素子Ｙｇ，Ｘｇが導通し，パネルキャパシターＣｐのＹ電極電圧Ｖｙ及びＸ電極電圧Ｖｘが各々−Ｖｓ／２に維持されていると仮定する。そして，パネルキャパシターＣｐのキャパシタンスをＣ，インダクタＬｐ１，Ｌｐ２のインダクタンスを各々Ｌ１，Ｌ２と仮定する。
【００３４】
　図３及び図４に示すように，モード１（Ｍ１）が始まる時，スイッチング素子Ｙｇ，Ｘｇがオン状態でスイッチング素子Ｙｒがオンになる。そうすると，モード１（Ｍ１）では，パネルキャパシターＣｐのＹ電極電圧Ｖｙ及びＸ電極電圧Ｖｘが各々−Ｖｓ／２電圧に維持された状態でインダクタＬｐ１に電流が注入開始され，接地線０，スイッチング素子Ｙｒ，インダクタＬｐ１，スイッチング素子Ｙｇへの経路により，インダクタＬｐ１に流れる電流ＩＬ１はＶｓ／２Ｌ１の傾きで増加し，エネルギーが保存される。つまり，例えば，モード１（Ｍ１）がΔｔｐ１時間持続されるならば，モード１（Ｍ１）が終わる時点におけるインダクタＬｐ１に流れる電流Ｉｐ１は下記の数式（１）のようになる。
【００３５】
【数１】
2004133406.tif 000003
・・・・（１）
【００３６】
　次に，モード２（Ｍ２）が始まる時，スイッチング素子Ｙｇが遮断され，図５に示すように，接地線０，スイッチング素子Ｙｒ，インダクタＬｐ１，パネルキャパシターＣｐ，スイッチング素子Ｘｇ，電源−Ｖｓ／２に電流経路が形成されて，パネルキャパシターＣｐが充電されて電圧Ｖｙが上昇し，インダクタＬｐ１の電流増加率が減少して，ＬＣ共振が発生する。ＬＣ共振によってパネルキャパシターＣｐのＹ電極電圧Ｖｙは増加するが，スイッチング素子ＹｓのボディーダイオードによってクランプされるＶｓ／２までは増加を続ける。動作速度を左右するＹ電極電圧Ｖｙの増加率は，インダクタＬｐ１がパネルキャパシターＣｐに供給する電流に比例するので，Ｙ電極電圧ＶｙがＶｓ／２まで増加するにかかる時間ΔＴ１は，共振時にインダクタＬｐ１に流れる電流Ｉｐ１によって決定される。つまり，下記の数式（２）のようにＹ電極電圧Ｖｙの上昇時間ΔＴ１は，電流Ｉｐ１，即ち，モード１（Ｍ１）の電流注入時間Δｔｐ１，従って，スイッチング素子Ｙｇの遮断タイミングによって調節できる。
【００３７】
【数２】
2004133406.tif 000004
・・・・（２）
【００３８】
　モード３（Ｍ３）が始まると，パネルキャパシターＣｐのＹ電極電圧ＶｙがＶｓ／２まで増加すると，スイッチング素子Ｙｓが導通してＹ電極電圧ＶｙがＶｓ／２に維持される。そして，図６に示すように，インダクタＬｐ１に流れていた電流ＩＬ１はスイッチング素子Ｙｒ，インダクタＬｐ１，スイッチング素子Ｙｓのボディーダイオードの経路で，−Ｖｓ／２Ｌ１の傾きにより零アンペアまで減少する。即ち，インダクタＬｐ１に流れた電流ＩＬ１は電源Ｖｓ／２に回収される。すなわち，インダクタＬｐ１に残っていたエネルギーが回収される。
【００３９】
　図３及び図７のようにモード４（Ｍ４）が始まると，インダクタＬｐ１に流れる電流ＩＬ１が零アンペアになった後にスイッチング素子Ｙｒが遮断される。そして，スイッチング素子Ｙｓ，Ｘｇは導通しているので，パネルキャパシターＣｐのＹ電極電圧Ｖｙ及びＸ電極電圧Ｖｘは，各々Ｖｓ／２及び−Ｖｓ／２電圧に維持され続ける。Ｙ電極及びＸ電極の電圧差Ｖｙ−Ｖｘが維持放電に必要な電圧であるＶｓ電圧になるので，維持放電が発生する。なお，インダクタＬｐ１に流れる電流ＩＬ１が零アンペアになった後もスイッチング素子Ｙｒが導通している場合，逆向きのインダクタ電流が流れようとしてもダイオードＤ１によって遮断されＩＬ１＝零アンペアの状態が継続する。
【００４０】
　モード５（Ｍ５）では，スイッチング素子Ｙｓ，Ｘｇが導通状態でスイッチング素子Ｙｆが導通する。そうすると，図８に示すように電源Ｖｓ／２，スイッチング素子Ｙｓ，インダクタＬｐ１，スイッチング素子Ｙｆ，接地線０に電流経路が形成され，インダクタＬｐ１に流れる電流は逆方向に替わって，単位時間当たり増加量が（Ｖｓ／２Ｌ１）になる。即ち，モード５（Ｍ５）では，パネルキャパシターＣｐのＹ電極電圧Ｖｙ及びＸ電極電圧Ｖｘを各々Ｖｓ／２及び−Ｖｓ／２に維持した状態で，モード１（Ｍ１）とは反対方向の電流をインダクタＬｐ１に注入する。すなわち，インダクタＬｐ１にエネルギーが保存される。
【００４１】
　モード６（Ｍ６）がはじまると，図９に示すようにスイッチング素子Ｙｓが遮断され，スイッチング素子Ｘｇ，パネルキャパシターＣｐ，インダクタＬｐ１，スイッチング素子Ｙｆ，接地線０に電流経路が形成され，ＬＣ共振が発生する。ＬＣ共振によってパネルキャパシターＣｐのＹ電極電圧Ｖｙは減少するが，スイッチング素子Ｘｇのボディーダイオードによってクランプ電圧（−Ｖｓ／２）まで減少する。しかし，このＬＣ共振はモード２（Ｍ２）の時のように，インダクタＬｐ１に一定量の電流が流れている状態で発生するので，パネルキャパシターＣｐのＹ電極電圧Ｖｙが−Ｖｓ／２まで減少するにかかる時間ΔＴ２は，共振時にインダクタＬｐ１に流れる電流によって決定される。モード１（Ｍ１）で説明したように，共振時にインダクタＬｐ１に流れる電流は，インダクタＬｐ１に電流が注入される期間であるモード５（Ｍ５）の期間Δｔｐ２によって決定される。
【００４２】
　次に，モード７（Ｍ７）では，直前モード（Ｍ６）でパネルキャパシターＣｐのＹ電極電圧Ｖｙが減少して，−Ｖｓ／２よりも負側に変化しようとすると，スイッチング素子Ｙｇのボディーダイオードが導通し，モード７（Ｍ７）となってＹ電極電圧Ｖｙが−Ｖｓ／２に維持される。そして，図１０に示すように，インダクタＬｐ１に流れた電流ＩＬ１はスイッチング素子Ｙｇのボディーダイオード，インダクタＬｐ１，スイッチング素子Ｙｆの経路で流れるが，インダクタＬｐ１にかかる電圧のためＶｓ／２Ｌ１の傾きで変化して零アンペアに至る。すなわち，インダクタＬｐ１に残っていたエネルギーが回収される。
【００４３】
　図３及び図１１のように，モード８（Ｍ８）では，インダクタＬｐ１に流れる電流ＩＬ１が零アンペアになった後にスイッチング素子Ｙｆが遮断される。そして，スイッチング素子Ｙｇ，Ｘｇは遮断されているので，パネルキャパシターＣｐのＹ電極電圧Ｖｙ及びＸ電極電圧Ｖｘは各々−Ｖｓ／２に維持され続ける。
【００４４】
　モード１〜８（Ｍ１〜Ｍ８）の過程では，パネルキャパシターＣｐの両端電圧Ｖｙ−Ｖｘ（以下，パネル電圧と称す）は，零ボルトからＶｓまで増加した後に零ボルトにもどるようにスイングできる。そして，図３に示すように，モード９〜１６（Ｍ９〜Ｍ１６）におけるスイッチング素子Ｘｓ，Ｘｇ，Ｘｒ，Ｘｆ及びスイッチング素子Ｙｓ，Ｙｇ，Ｙｒ，Ｙｆの動作は，各々モード１〜８（Ｍ１〜Ｍ８）におけるスイッチング素子Ｙｓ，Ｙｇ，Ｙｒ，Ｙｆ及びスイッチング素子Ｘｓ，Ｘｇ，Ｘｒ，Ｘｆの動作と同様である。したがって，モード９〜１６（Ｍ９〜Ｍ１６）でパネルキャパシターＣｐのＸ電極電圧Ｖｘは，モード１〜８（Ｍ１〜Ｍ８）におけるＹ電極電圧Ｖｙと同じ波形を有する。したがって，モード９〜１６（Ｍ９〜Ｍ１６）におけるパネル電圧Ｖｙ−Ｖｘは，０Ｖから−Ｖｓの間をスイングする。本発明の第１の実施の形態にかかる維持放電回路のモード９〜１６（Ｍ９〜Ｍ１６）における動作に対する詳細な説明は，モード１〜８（Ｍ１〜Ｍ８）の説明を通じて当業者であれば容易に分かるので省略する。
【００４５】
　このように本発明の第１の実施の形態にかかると，モード１（Ｍ１）でインダクタＬｐ１に電流を注入する時間Δｔｐ１を調整することによって，パネル電圧の上昇時間ΔＴ１を調整することができ，同様に，モード５（Ｍ５）ではインダクタＬｐ１に電流を注入する時間Δｔｐ２を調整することによって，パネル電圧の下降時間ΔＴ２を調整することができる。なお，モード１（Ｍ１）でインダクタＬｐ１への電流注入量が，モード５（Ｍ５）でインダクタＬｐ１への電流注入量より多いことが好ましい。この場合には，パネル電圧の上昇時間を短くし下降時間を長いようにすることができる。
【００４６】
　しかし，図１２に示すように，パネルキャパシターＣｐのＸ電極とＹ電極との間にある放電空間の状態，即ち，壁電荷状態は全ての放電セルに関して均一でないので，壁電圧が放電セルごとに異なる。図１２左側に示す放電セル５１のように壁電荷が少量であれば壁電圧Ｖｗ１が低いから，放電を開始するための電圧が高くなり，右側に示す放電セル５２のように壁電荷が多量であれば壁電圧Ｖｗ２が高いから，放電を開始するための電圧が低くなる。放電セル５２のように壁電圧が高く開始電圧が低い場合には，パネル電圧Ｖｙ−Ｖｘの上昇中に放電が開始することもある。つまり，スイッチング素子Ｙｓが遮断されているモード２（Ｍ２）の中間で放電が開始することもあるので，電源Ｖｓ／２から放電を維持するための電力が供給されずにインダクタＬｐ１から電力が供給されなければならない。そして，モード３（Ｍ３）の開始時にスイッチング素子Ｙｓが導通して放電が再び発生する。このように放電が二度発生することにより，パネル全体に均一な光を発生できないようになる。したがって，不均一な放電が起こらないようにパネル電圧Ｖｙ−Ｖｘの上昇期間Δｔｐ１を短くすることが好ましい。
【００４７】
　また，パネル電圧Ｖｙ−Ｖｘが急激に減少すると，急激な電界の変化による空間電荷の移動により，壁電荷の自己消去が発生し，放電セルに関して壁電荷分布が不均一になることもある。しかし，パネル電圧Ｖｙ−Ｖｘの下降期間が長ければ，空間電荷の再結合によって壁電圧が低くなり，自己消去が発生しない。したがって，パネル電圧Ｖｙ−Ｖｘの下降期間Δｔｐ２をパネル電圧Ｖｙ−Ｖｘの上昇期間Δｔｐ１より長くすることが好ましい。
【００４８】
　第１の実施の形態では図３のように，モード９（Ｍ９）で，インダクタＬｐ１に流れる電流を全て回収した後にインダクタＬｐ２に電流を注入した。しかし，モード７（Ｍ７）及びモード（Ｍ８）のどちらかでも，インダクタＬｐ２に電流を注入することができる。つまり，モード９（Ｍ９）の状態をモード７（Ｍ７）またはモード（Ｍ８）の期間内に発生させることができる。このようにすると，パネル電圧Ｖｙ−Ｖｘが零ボルトに維持される期間を第１の実施の形態より短くできる。
【００４９】
　そして，本発明の第１の実施の形態では，＋電源，−電源が供給する電圧を各々Ｖｓ／２及び−Ｖｓ／２とし，Ｙ電極電圧Ｖｙ及びＸ電極電圧Ｖｘの差を維持放電に必要な電圧Ｖｓとした。しかし，＋電源，−電源が供給する電圧を非対称にして，各々Ｖｈ，Ｖｈ−Ｖｓとし，図２の接地線０に（２Ｖｈ−Ｖｓ）／２に相当する電圧を充電したキャパシターを連結することができる。そうすると，パネルキャパシターの各電極電圧はＶｈとＶｈ−Ｖｓとの間をスイングし，したがって，パネル電圧Ｖｙ−Ｖｘが０ＶからＶｓの間をスイングするようにすることが可能である。
【００５０】
　そして，本発明の第１の実施の形態にかかる駆動方法は，図１３に示した回路の駆動方式にも適用することができる。
【００５１】
　図１３は本発明の第２の実施の形態にかかる維持放電回路の概略的な回路図であり，図１４は本発明の第２の実施の形態にかかる維持放電回路の駆動タイミング図である。
【００５２】
　図１３に示すように，本発明の第２の実施の形態にかかる維持放電回路は，−Ｖｓ／２の電圧を−電源として使用せず，キャパシターＣ１，Ｃ２を使用して供給するという点を除いては第１の実施の形態と同一である。
【００５３】
　詳述すると，第２の実施の形態にかかる維持放電回路の使用部品は，スイッチング素子Ｙｈ，Ｙｌ，Ｘｈ，Ｘｌ，キャパシターＣ１，Ｃ２及びダイオードＤ９，Ｄ１０が，第１の実施の形態の部品に追加されたもので，キャパシターＣ１，Ｃ２にはＶｓ／２の電圧が充電されている。スイッチング素子Ｙｈ，Ｙｌは電源Ｖｓ／２と接地線０との間に直列に連結され，スイッチング素子Ｙｈ，Ｙｌの接続点と接地線０との間には，キャパシターＣ１とダイオードＤ９が直列に連結されている。スイッチング素子Ｙｓはスイッチング素子Ｙｈ，Ｙｌの接続点に連結され，スイッチング素子ＹｇはキャパシターＣ１とダイオードＤ９との接続点に連結される。同様に，スイッチング素子Ｘｈ，Ｘｌは電源Ｖｓ／２と接地線０との間に直列に連結され，その接続点と接地線０との間には，キャパシターＣ２とダイオードＤ１０が直列に連結されている。スイッチング素子Ｘｓはスイッチング素子Ｘｈ，Ｘｌの接続点に連結され，スイッチング素子ＸｇはキャパシターＣ２とダイオードＤ１０との接続点に連結される。
【００５４】
　このような第２の実施の形態にかかる維持放電回路の動作は，図１４に示すようにスイッチング素子Ｙｓ，Ｙｇ，Ｘｓ，Ｘｇが動作する時点に，各々スイッチング素子Ｙｈ，Ｙｌ，Ｘｈ，Ｘｌが同時に動作するという点を除いては第１の実施の形態と同一である。より詳しくは，スイッチング素子Ｙｓ，Ｙｈが同時に導通状態になってパネルキャパシターＣｐに電源Ｖｓ／２の電圧Ｖｓ／２を供給する。同様にスイッチング素子Ｘｓ，Ｘｈが同時に導通してパネルキャパシターＣｐに電源Ｖｓ／２の電圧Ｖｓ／２を供給する。また，スイッチング素子Ｙｇ，Ｙｌが同時にオンになって接地線０，スイッチング素子Ｙｌ，キャパシターＣ１，スイッチング素子Ｙｇの経路を通じて−Ｖｓ／２の電圧をパネルキャパシターＣｐに供給する。同様にスイッチング素子Ｘｇ，Ｘｌが同時に導通して接地線０，スイッチング素子Ｘｌ，キャパシターＣ１，スイッチング素子Ｘｇの経路を通じて−Ｖｓ／２の電圧をパネルキャパシターＣｐに供給する。
【００５５】
　このような本発明の第２の実施の形態にかかると，Ｖｓ／２電圧を供給する電源でＶｓ／２電圧及び−Ｖｓ／２電圧をパネルキャパシターＣｐに供給することができる。
【００５６】
　そして，本発明の第１及び第２の実施の形態では，Ｙ電極電圧Ｖｙの上昇及び下降に同じインダクタＬｐ１を使用したが，Ｙ電極電圧Ｖｙの上昇及び下降に互いに異なるインダクタ（図１５のＬｐ１１，Ｌｐ１２）を用いることができる。つまり，Ｙ電極電圧Ｖｙの上昇時にインダクタＬｐ１１を使用し，Ｙ電極電圧Ｖｙの下降時にインダクタＬｐ１２を使用することができる。ここで，Ｙ電極電圧Ｖｙの上昇及び下降は図１５の表示に従うと，インダクタＬｐ１１，Ｌｐ１２を流れる電流の方向が右向きであるか左向きであるかと等価であり，両者を区別して動作させるためにはダイオードＤ１，Ｄ２を用いるか，スイッチング素子Ｙｒ，Ｙｆを適切なタイミングで制御すればよい。そして，二つのインダクタＬｐ１１，Ｌｐ１２を使用する場合には，第１の実施の形態のようにインダクタに電流を注入する段階（図３のＭ１，Ｍ５）を省略することができ，以下にこのような実施の形態について図１５及び図１６を参照して詳細に説明する。
【００５７】
　図１５は本発明の第３の実施の形態にかかる維持放電回路の概略的な回路図であり，図１６は本発明の第３の実施の形態にかかる維持放電回路の駆動タイミング図である。
【００５８】
　図１５には，パネルキャパシターＣｐのＸ電極電圧は０Ｖに維持すると仮定し，維持放電回路のうちＹ電極部分だけを示した。第３の実施の形態にかかる維持放電回路はインダクタＬｐ１１，Ｌｐ１２，キャパシターＣｅｒ，電源Ｖｓ及び接地線０を除いては第１の実施の形態と同一である。
【００５９】
　より詳しくは，スイッチング素子Ｙｓ，Ｙｇは電源Ｖｓと接地線０との間に直列に連結されている。インダクタＬｐ１１はスイッチング素子Ｙｓ，Ｙｇの接続点とスイッチング素子Ｙｒとの間に連結され，インダクタＬｐ１２はスイッチング素子Ｙｓ，Ｙｇの接続点とスイッチング素子Ｙｆとの間に連結されている。そして，スイッチング素子Ｙｒ，Ｙｆの接続点と接地線０との間にはキャパシターＣｅｒが連結されている。電源ＶｓはＶｓ電圧を供給し，キャパシターＣｅｒにはＶｓ／２電圧が充電されている。即ち，電源Ｖｓと接地線０によって，Ｙ電極電圧Ｖｙは第１の実施の形態とは異なって零ボルトからＶｓの間をスイングする。
【００６０】
　図１６のように，モード１（Ｍ１）では，スイッチング素子ＹｒがオンになってキャパシターＣｅｒ，スイッチング素子Ｙｒ，インダクタＬｐ１１，パネルキャパシターＣｐの経路でＬＣ共振が発生する。このＬＣ共振によってパネル電圧Ｖｐは増加するようになり，インダクタＬｐ１１の電流ＩＬ１１はサイン波の半周期（０度から１８０度）を形成する。モード２（Ｍ２）では，パネル電圧ＶｐがＶｓ電圧まで増加したとき，スイッチング素子Ｙｒがオフになり，スイッチング素子Ｙｓはオンになって，パネル電圧ＶｐはＶｓに維持される。つまり，モード２（Ｍ２）でパネルは維持放電する。
【００６１】
　次に，モード３（Ｍ３）では，スイッチング素子（Ｙｓ）がオフになりスイッチング素子Ｙｆがオンになって，パネルキャパシターＣｐ，インダクタＬｐ１２，スイッチング素子Ｙｆ，キャパシターＣｅｒの経路でＬＣ共振が発生する。この共振によってパネル電圧Ｖｐは減少し，インダクタＬｐ１２の電流ＩＬ１２はサイン波の後半周期（１８０度から３６０度）を形成する。モード４（Ｍ４）ではパネル電圧Ｖｐが零ボルトまで減少したとき，スイッチング素子Ｙｆがオフになりスイッチング素子Ｙｇがオンになって，パネル電圧Ｖｐは零ボルトに維持される。
【００６２】
　そして，Ｙ電極電圧Ｖｙを零ボルトに維持しながらモード１〜４（Ｍ１〜Ｍ４）に対応する過程を通じてＸ電極電圧Ｖｘを零ボルトからＶｓ電圧の間でスイングさせる。このようにしてパネルに維持放電に必要な電圧Ｖｓを供給することができる。
【００６３】
　下記の数式（３）のように，パネル電圧Ｖｐの上昇時間ΔＴ３及び下降時間ΔＴ４は各々インダクタＬｐ１１，Ｌｐ１２のインダクタンスＬ１１，Ｌ１２の関数であるので，インダクタンスＬ１１，Ｌ１２を調節することによって，パネル電圧Ｖｐの上昇時間ΔＴ３及び下降時間ΔＴ４を調節することができる。このとき，前述のようにインダクタンスＬ１１を小さくしインダクタンスＬ１２を大きくして，パネル電圧Ｖｐの上昇時間ΔＴ３を短くし下降時間ΔＴ４を長いようにすることが好ましい。
【００６４】
【数３】
2004133406.tif 000005
・・・・（３）
【００６５】
　そして，本発明の第３の実施の形態においても第１の実施の形態のように電源Ｖｓ／２，−Ｖｓ／２を用いることができる。つまり，スイッチング素子Ｙｓ，Ｙｇに各々電源Ｖｓ／２，−Ｖｓ／２を連結し，スイッチング素子Ｙｒ，Ｙｆの接続点にキャパシターＣｅｒの代りに接地線０を連結することができる。このようにすると，第１の実施の形態のようにパネルキャパシターＣｐのＹ電極電圧Ｖｙを−Ｖｓ／２電圧からＶｓ／２電圧の間でスイングさせることができる。Ｙ電極電圧ＶｙがＶｓ／２電圧であるとき，Ｘ電極電圧Ｖｘを−Ｖｓ／２に維持し，パネルに維持放電に必要な電圧Ｖｓを供給することができる。
【００６６】
　以上より，本発明の実施の形態によれば，パネル電圧の上昇時間及び下降時間を調節することができる。特に，パネル電圧の上昇時間を急速にし，パネル電圧上昇中に放電が二度発生しないようにすることで，均一な放電が可能になる。パネル電圧の下降時間を上昇時間より長くすることで，壁電荷の自己消去が発生しないようにし，放電セル間壁電荷分布を均一にすることができる。
【００６７】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６８】
　本発明は，交流形のプラズマディスプレイパネルを駆動する際の駆動装置及び駆動方法に適用可能である。
【図面の簡単な説明】
【００６９】
【図１】本発明の実施の形態にかかるプラズマディスプレイパネルの概略的なブロック図である。
【図２】本発明の第１の実施の形態にかかる維持放電回路の概略的な回路図である。
【図３】本発明の第１の実施の形態にかかる維持放電回路の駆動タイミング図である。
【図４】本発明の第１の実施の形態にかかる維持放電回路においてモード１の電流経路を示す回路図である。
【図５】本発明の第１の実施の形態にかかる維持放電回路においてモード２の電流経路を示す回路図である。
【図６】本発明の第１の実施の形態にかかる維持放電回路においてモード３の電流経路を示す回路図である。
【図７】本発明の第１の実施の形態にかかる維持放電回路においてモード４の電流経路を示す回路図である。
【図８】本発明の第１の実施の形態にかかる維持放電回路においてモード５の電流経路を示す回路図である。
【図９】本発明の第１の実施の形態にかかる維持放電回路においてモード６の電流経路を示す回路図である。
【図１０】本発明の第１の実施の形態にかかる維持放電回路においてモード７の電流経路を示す回路図である。
【図１１】本発明の第１の実施の形態にかかる維持放電回路においてモード８の電流経路を示す回路図である。
【図１２】放電セルにおける壁電荷状態を示す図面である。
【図１３】本発明の第２の実施の形態にかかる維持放電回路の概略的な回路図である。
【図１４】本発明の第２の実施の形態にかかる維持放電回路の駆動タイミング図である。
【図１５】本発明の第３の実施の形態にかかる維持放電回路の概略的な回路図である。
【図１６】本発明の第３の実施の形態にかかる維持放電回路の駆動タイミング図である。
【符号の説明】
【００７０】
１００　　プラズマパネル
２００　　アドレス駆動部
３００　　走査・維持駆動部
４００　　制御部
３１０　　Ｙ電極駆動部
３２０　　Ｘ電極駆動部
３３０　　Ｙ電極電力回収部
３４０　　Ｘ電極電力回収部
Ｙｓ，Ｙｇ，Ｘｓ，Ｘｇ，Ｙｒ，Ｙｆ，Ｘｒ，Ｘｆ　　スイッチング素子
Ｌｐ１，Ｌｐ２　　インダクタ
Ｃｐ　　パネルキャパシター
Ｖｙ　　Ｙ電極電圧
Ｖｘ　　Ｘ電極電圧
Ｖｓ／２，−Ｖｓ／２　　電源
０　　接地線
Ｄ１，Ｄ２，Ｄ３，Ｄ４，Ｄ５，Ｄ６，Ｄ７，Ｄ８　　ダイオード
Ｖｙ−Ｖｘ　　パネル電圧
【図１】
2004133406.tif 000006
【図２】
2004133406.tif 000007
【図３】
2004133406.tif 000008
【図４】
2004133406.tif 000009
【図５】
2004133406.tif 000010
【図６】
2004133406.tif 000011
【図７】
2004133406.tif 000012
【図８】
2004133406.tif 000013
【図９】
2004133406.tif 000014
【図１０】
2004133406.tif 000015
【図１１】
2004133406.tif 000016
【図１２】
2004133406.tif 000017
【図１３】
2004133406.tif 000018
【図１４】
2004133406.tif 000019
【図１５】
2004133406.tif 000020
【図１６】
2004133406.tif 000021